(57)【要約】【課題】スライドバーに摺動可能に保持されるフックの操作性が良いスライドバー装置を提供する。【解決手段】スライドバー装置は、上下方向に延びるスライドバーと、スライドバーに摺動可能に保持されるフック３０とを備える。フック３０は、スライドバーに嵌合する嵌合孔３１ａが形成された基端部３１、シャワーヘッド等の被掛止体を掛け止める先端部３２を有する。フック３０は、基端部３１と先端部３２との間に嵌合孔３１ａの軸線の方向に屈曲した屈曲部３３を有する。【選択図】図３
2018053543.tif 000002
【特許請求の範囲】
【請求項１】
上下方向に延びるスライドバーと、前記スライドバーに摺動可能に保持されるフックとを備えるスライドバー装置において、
前記フックは、前記スライドバーに嵌合する嵌合孔が形成された基端部、被掛止体を掛け止める先端部、および前記基端部と前記先端部との間に前記嵌合孔の軸線方向に屈曲した屈曲部を有することを特徴とするスライドバー装置。
【請求項２】
前記先端部は、前記基端部に対して前記嵌合孔の軸線方向にオフセットした位置にあることを特徴とする請求項１に記載のスライドバー装置。
【請求項３】
前記フックは、前記スライドバーへの保持および保持解除のための操作部を有し、
前記操作部は、前記屈曲部に設けられていることを特徴とする請求項１または２に記載のスライドバー装置。
【請求項４】
前記操作部は、前記フックの下面側に設けられていることを特徴とする請求項３に記載のスライドバー装置。
【発明の詳細な説明】
【技術分野】
【０００１】
本発明は、例えば浴室で用いるシャワーヘッドを上下に摺動し保持するスライドバー装置に関する。
【背景技術】
【０００２】
スライドバー装置は、例えばシャワーヘッドなどの被掛止体を掛け止めるフックを細長い棒状のスライドバーに摺動可能に保持する。ユーザは、スライドバー装置によって、被掛止体であるシャワーヘッドをスライドバーに沿って移動させることで、使い易い位置でシャワーヘッドを利用することができる。
【０００３】
例えば、特許文献１には、フックに操作部材が設けられ、操作部材の押し込み操作によってレバー部材が揺動し、レバー部材に連動するロック部材がスライドバーに対して圧接位置から解放位置へと後退するロック装置が開示されている。操作部材は、直線状の棒状部材であるフックの下面から突出するようにばねによって付勢されている。フックは、操作部材を上方へ押し込む動作によってスライドバーへのロックが外れ、押し込み動作を解除することによってスライドバーにロックする。
【０００４】
また、特許文献２には、上下方向に延びる第１スライド部、および頭上から湯水を吐出させるのに適する第２スライド部を有するスライドバーと、該スライドバーに摺動可能に保持されるフックを備えたスライドバー装置が開示されている。第２スライド部は、第１スライド部の上方にあり、前後方向にフックを移動させるべく第１スライド部に対して傾斜している。フックは、スライドバーに嵌め合う基端部からシャワーヘッドを掛け止める先端部にかけて直線状の棒状に形成されており、上面に操作用のスイッチが設けられている。
【先行技術文献】
【特許文献】
【０００５】
【特許文献１】特開２０１４−００９５６８号公報
【特許文献２】特開２０１３−０２２３８４号公報
【発明の概要】
【発明が解決しようとする課題】
【０００６】
特許文献１に記載のロック装置では、フック下面から突出した操作部材に親指の腹を当て、フック上面に人差し指から小指までの腹を当てて挟むようにして操作する際に、直線状のフックの上面および下面が平坦であるため、親指から小指の腹に掛かり難い。また、シャワーヘッドから吐出された水や洗剤が平坦状のフック上面に付着すると、さらに指が滑り易くなって利便性が低下するという問題点があった。
【０００７】
また、特許文献２に記載のスライドバー装置では、操作用のスイッチがフック上面に設けられているので、スイッチがフックの基端部に近い位置にあると、小指側でスイッチを押すこととなり、小指側に力を掛ける不自然な操作となって利便性が低下する。フック上面に設けたスイッチを親指で押すように操作しても良いが、この場合、スライドバーとシャワーヘッド用のホースとが近接して狭くなるフック下面側の隙間に人差し指から小指を差し入れる動作が行い難い。
【０００８】
本発明は、斯かる事情に鑑みてなされたものであり、その目的とするところは、スライドバーに摺動可能に保持されるフックの操作性が良いスライドバー装置を提供することにある。
【課題を解決するための手段】
【０００９】
本発明に係るスライドバー装置は、上下方向に延びるスライドバーと、前記スライドバーに摺動可能に保持されるフックとを備えるスライドバー装置において、前記フックは、前記スライドバーに嵌合する嵌合孔が形成された基端部、被掛止体を掛け止める先端部、および前記基端部と前記先端部との間に前記嵌合孔の軸線方向に屈曲した屈曲部を有することを特徴とする。
【００１０】
本発明にあっては、スライドバー装置は、スライドバーが上下方向に延びており、スライドバーにフックが摺動可能に保持される。フックは、基端部にスライドバーに嵌合する嵌合孔が形成されており、先端部に被掛止体を掛け止める。フックは、基端部と先端部との間に嵌合孔の軸線方向に屈曲した屈曲部を有するので、操作時に屈曲部に指が掛かって滑り難くなり、操作性が良い。
【発明の効果】
【００１１】
本発明によれば、スライドバー装置は、スライドバーが上下方向に延びており、スライドバーにフックが摺動可能に保持される。フックは、基端部にスライドバーに嵌合する嵌合孔が形成されており、先端部に被掛止体を掛け止める。フックは、基端部と先端部との間に嵌合孔の軸線方向に屈曲した屈曲部を有する。このため、スライドバー装置は、操作時にフックの屈曲部に指が掛かって滑り難くなり、操作性が良い。
【図面の簡単な説明】
【００１２】
【図１】本発明の実施形態に係るスライドバー装置を含む浴室ユニットの外観を示す斜視図である。
【図２】本発明の実施形態に係るスライドバー装置を含むシャワー装置の側面図である。
【図３】フックの上面側から見た斜視図である。
【図４】フックの下面側から見た斜視図である。
【図５】フックの側面図である。
【図６】ボディーシャワー浴時のスライドバー装置の使用状態を説明するための模式図である。
【図７】オーバーヘッドシャワー浴時のスライドバー装置の使用状態を説明するための模式図である。
【図８】フックの操作状態を説明するための模式図である。
【図９】変形例に係るフックの上面側から見た斜視図である。
【図１０】変形例に係るフックの側面図である。
【発明を実施するための形態】
【００１３】
以下、本発明を好適な実施の形態をもとに図１から図１０を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１４】
（実施形態）
図１は実施形態に係るスライドバー装置１を含む浴室ユニット１０１の外観を示す斜視図、図２は実施形態に係るスライドバー装置１を含むシャワー装置１００の側面図である。浴室ユニット１０１は、湯を溜める浴槽９０、該浴槽９０前側に設けた洗い場床９１、壁パネル９２、シャワー装置１００を有する。浴槽９０および洗い場床９１は、四方を壁パネルによって囲まれている。洗い場床９１に接する壁パネル９２には、カウンター９３および鏡９４などのユーザが身体を洗い流す際に利用する備品類が取り付けられている。
【００１５】
シャワー装置１００は、湯水供給部８０、シャワーヘッド８１、スライドバー装置１を有する。湯水供給部８０は、水量調節つまみや温度調節つまみ等を有し、シャワーヘッド８１に供給する湯水の温度および水量を調節可能としている。シャワーヘッド８１は、ホース８２によって湯水供給部８０に接続されており、湯水供給部８０から湯水が供給される。シャワーヘッド８１には多数の小孔からなる吐水口が設けられており、ユーザの身体を洗い流す湯水を該吐水口から吐出する。シャワーヘッド８１は、スライドバー装置１によって上下方向に摺動可能に保持されており、ユーザの嗜好に応じて高さを調節できるようになっている。
【００１６】
スライドバー装置１は、スライドバー１０、下ブラケット２０、上ブラケット２１、フック３０を有する。スライドバー１０は、上下方向に延びる細長い棒状であり、軸線が壁パネル９２側で凸状となるように湾曲している。スライドバー１０は、上部に向かうにつれて、後述するフック３０の先端部３２側に傾斜し、壁パネル９２から離れるように設けられている。尚、スライドバー１０は、直線状の軸線を有し、上部に向かうにつれて、フック３０の先端部３２側に傾斜して壁パネル９２から離れるように設けてもよい。本発明において、上下方向に延びることには、直線状に延びること、および曲線状に延びることが含まれ、上下方向には鉛直方向だけでなく鉛直方向から傾いた方向が含まれる。
【００１７】
スライドバー１０は、壁パネル９２の上下方向における中央部やや洗い場床９１寄りの位置から浴室ユニット１０１の天井付近まで延びる。スライドバー１０は、下端部が下ブラケット２０に、上端部が上ブラケット２１に取付けられている。下ブラケット２０および上ブラケット２１は、それぞれ棒状をなし、一端部にスライドバー１０が取り付けられ、他端部が壁パネル９２に固定されている。
【００１８】
上ブラケット２１は、一端部から他端部までの軸線方向の長さ寸法が下ブラケット２０よりも大きい。スライドバー１０は、上述のように、軸線が壁パネル９２側で凸状となるように湾曲しており、上ブラケット２１の長さ寸法が下ブラケット２０よりも大きいため、上端側が下端側に比べて壁パネル９２から離れた位置となるように取り付けられる。このため、スライドバー１０に摺動可能に保持されるフック３０は、スライドバー１０の下端側に位置する場合に比べ、上端側に位置する場合に、シャワー装置１００の前に向き合うユーザにより近づくことになる。
【００１９】
図３はフック３０の上面側から見た斜視図、図４はフック３０の下面側から見た斜視図、図５はフック３０の側面図である。フック３０は、スライドバー１０に嵌合する基端部３１、被掛止体であるシャワーヘッド８１を掛け止める先端部３２、および基端部３１と先端部３２との間に屈曲した屈曲部３３を有する。フック３０は、基端部３１からスライドバー１０の側方へ延び、基端部３１から先端部３２にかけて全体として棒状をなす。屈曲部３３は、棒状のフック３０において、基端部３１と先端部３２との間の中央付近にあり、スライドバー１０の軸線方向に屈曲している。
【００２０】
フック３０の基端部３１は、上下に貫通する嵌合孔３１ａを有しており、該嵌合孔３１ａにはスライドバー１０が挿通されて嵌め合わされている。フック３０は、基端部３１の内部に設けたロック機構によってスライドバー１０に保持されており、ロックの解除により摺動可能となる。フック３０は、ロック機構を作動させるための操作部３４を下面側に有する。フック３０は、操作部３４を下方から上方へ押し込む操作によってスライドバー１０へのロックが外れて摺動可能となり、操作部３４を押し込む操作が解除されることによってスライドバー１０に保持される。操作部３４は、ばね等によって上方から下方へ向けて付勢されており、下方から上方へ押し込む操作が解除されると元の位置に戻り、フック３０がスライドバー１０に保持される。
【００２１】
フック３０の基端部３１に設けるロック機構は、例えば、スライドバー１０を押圧する押圧部材を基端部３１の内部に設け、操作部３４の上方移動に連動して該押圧部材がスライドバー１０から離れる方向に後退してロックが解除するものとすればよい。このようなロック機構は、例えば、特許文献１（特開２０１４−００９５６８号公報）および特許文献２（特開２０１３−０２２３８４号公報）等に開示された機構と同様に、構成することができる。
【００２２】
フック３０の先端部３２は、把持部３２ａおよび掛止部３２ｂを有する。把持部３２ａは、上下方向から見てＵ字状をなし、フック３０の先端側が開口している。掛止部３２ｂは、上下方向から見てＣ字状をなし、フック３０の先端側が開口している。掛止部３２ｂは、把持部３２ａの内側において、棒状をなすフック３０の軸線方向に直交する水平な軸回りに回動可能に支持されている。掛止部３２ｂの内径は、上方側で大きく下方側で小さくなるテーパ状をなす。シャワーヘッド８１は、ホース８２への接続端部がホース８２側で縮径する円錐台状をなし、掛止部３２ｂに上方から挿入し嵌め合わすようにして掛け止められる。
【００２３】
フック３０の先端側における掛止部３２ｂの開口の幅は、ホース８２の直径より大きく、シャワーヘッド８１のホース８２への接続端部の直径よりも小さい。このため、シャワーヘッド８１は、掛止部３２ｂから上方へ引き上げた後、ホース８２部分で掛止部３２ｂのフック３０の先端側における開口を通過せしめ、フック３０から抜き去ることができる。
【００２４】
掛止部３２ｂは、上述のようにＵ字状の把持部３２ａの内側に回動可能に支持されているが、限定された回動範囲内で可動して保持されるように組み合わされている。例えば、掛止部３２ｂおよび把持部３２ａは、互いに噛み合わされるギア歯状の噛合い部分を有し、一方の噛合い部分を他方に押圧されるように付勢する。掛止部３２ｂを回動させたときに、一方の噛合い部分が付勢力に抗して後退することによって、噛み合わせが外れて回動するようにしておけばよい。このような機構は、例えば特許文献１に開示されている。
【００２５】
屈曲部３３は、基端部３１と先端部３２との間の中途部に設けられている。図５に示すように、フック３０の基端部３１側の軸線Ｌ１および先端部３２側の軸線Ｌ２は交差しており、棒状のフック３０は、屈曲部３３で嵌合孔３１ａの軸線Ｌ３方向に屈曲している。このためフック３０は、上面側が凸形状、下面側が凹形状となっている。
【００２６】
先端部３２は、軸線Ｌ２が示すように、先端側に向かうにつれて下方に傾斜している。先端部３２の上面および下面は、軸線Ｌ２にほぼ平行に形成されており、先端側に向かうにつれて下方に傾斜している。また、先端部３２は、基端部３１に対して嵌合孔３１ａの軸線Ｌ３方向にオフセットした位置にある。図５に示すフック３０は、先端部３２が基端部３１に対して軸線Ｌ３方向に下方側にオフセットした位置に形成されているが、先端部３２が基端部３１に対して軸線Ｌ３方向に上方側にオフセットした位置に形成されているようにしてもよい。
【００２７】
操作部３４は、上面側の凸形状と対向する下面側に設けられており、下面側の凹形状部分の付近に位置する。ユーザは、フック３０を手で操作する場合、凸形状となっている上面側に人差し指から小指の腹を掛け、凹形状となっている下面側に設けられた操作部３４に親指の腹を掛けると操作性が良くなる。尚、フック３０は、上面側が凸形状であれば、人差し指から小指の腹を掛けやすくなるので、下面側は、凹形状でなく平坦状であってもよい。
【００２８】
次に、スライドバー装置１の動作について説明する。図６は、ボディーシャワー浴時のスライドバー装置１の使用状態を説明するための模式図であり、図７は、オーバーヘッドシャワー浴時のスライドバー装置１の使用状態を説明するための模式図である。図６に示すように、フック３０をスライドバー１０の中途部から上寄りに位置させることで、ユーザは、ボディー部分にシャワーヘッド８１からの湯水を浴びるボディーシャワー浴を行うことができる。また、ユーザは、洗い場床９１に置いた椅子に座り、フック３０をスライドバー１０の中途部から下寄りに位置させて、ボディー部分にシャワーヘッド８１からの湯水を浴びることができる。
【００２９】
図７に示すように、フック３０をスライドバー１０の上端部付近に位置させることで、ユーザは、ほぼ頭の上又は斜め上に、シャワーヘッド８１からの湯水を浴びるオーバーヘッドシャワー浴を行うことができる。スライドバー１０は、壁パネル９２の上下方向における中央部やや洗い場床９１寄りの位置から浴室ユニット１０１の天井付近まで延びており、上端部にフック３０を位置させることで、浴室ユニット１０１内の高い位置に配置できる。
【００３０】
また、スライドバー１０の軸線が壁パネル９２側で凸状となるように湾曲しているため、フック３０は、スライドバー１０上での位置が上方になるにしたがって、ユーザ側へ近づく。このため、フック３０をスライドバー１０の上端部に位置させたときに、シャワーヘッド８１をユーザの頭上近くに位置させることができる。
【００３１】
図８は、フック３０の操作状態を説明するための模式図である。ユーザは、フック３０を手で操作する場合、凸形状となっている上面側に人差し指から小指の腹を掛け、凹形状となっている下面側に設けられた操作部３４に親指の腹を掛ける。人差し指から小指までの間にフック３０の上面側における凸形状の屈曲部３３が位置することで、屈曲部３３に指が掛かってフック３０の軸線方向へ手がずれ難くなる。ユーザは、フック３０を操作する際に手がずれ難くなるので、上下方向へフック３０を移動させる際の操作性が良くなる。
【００３２】
操作部３４は、上面側の凸形状と対向する下面側に設けられており、下面側の凹形状部分の付近に位置している。ユーザは、フック３０を手で操作する際に、凸形状となっている上面側に人差し指から小指の腹を掛け、親指の腹で操作部３４を上方へ押し込む動作を行う。ユーザは、屈曲部３３の凸形状に中指から薬指辺りを掛け、対向する下面側の操作部３４を親指で押すことにより、フック３０を指で挟む動作が行い易く、フック３０の操作性が良くなる。
【００３３】
また、操作部３４がフック３０の下面側における凹形状付近にあることにより、親指で操作部３４を上方へ押し込んだ状態で親指が凹形状に嵌まってずれ難くなるので、フック３０の操作性が良くなる。また、操作部３４がフック３０の下面側にあることで、操作部３４における隙間からフック３０内へ水やゴミなどが入り込み難い。
【００３４】
尚、フック３０は、図５等に示すように上面側が凸形状、下面側が凹形状となっているが、下面側が凸形状、上面側が凹形状となる屈曲部３３を有し、上面側に操作部３４を設ける構成であってもよい。この場合、ユーザは、フック３０を手で操作する際に、凸形状となっている下面側に人差し指から小指の腹を掛け、凹形状となっている上面側に設けられた操作部３４に親指の腹を掛けると指掛かりが良く、操作性が良くなる。また、操作部３４を凸形状となっているフック３０の下面側に設ける構成としてもよく、この場合、ユーザは人差し指から小指の間で操作部３４を押し込むようにフック３０を操作すればよい。
【００３５】
フック３０において、先端部３２は軸線Ｌ２が示すように先端側に向かうにつれて下方に傾斜している。先端部３２の上面および下面は、軸線Ｌ２にほぼ平行に形成されており、先端側に向かうにつれて下方に傾斜している。このため、シャワーヘッド８１から吐出された湯水や、フック３０を操作するユーザの手から滴る湯水がフック３０に付着した場合、付着した湯水がフック３０の先端側へと流れ落ち、フック３０の上面および下面に溜まり難く、フック３０の汚れを抑制することができる。
【００３６】
スライドバー１０が上部に向かうにつれて先端部３２側に傾斜するように設けられているので、先端部３２の上面および下面は、先端側での傾斜の程度が大きくなる。このため、フック３０に付着した湯水がフック３０の先端側へと流れ落ち易くなり、フック３０の汚れをより抑制することができる。
【００３７】
先端部３２が下方に傾斜しているので、シャワーヘッド８１に接続されるホース８２の上端部は、先端部３２が下方に傾斜していない場合に比較して、上下方向のより下方に位置することになる。このため、ホース８２の上端部は、フック３０の屈曲部３３の下面側に設けた操作部３４からより離れた位置に配置される。フック３０の先端部３２に設けた掛止部３２ｂを回転させてシャワーヘッド８１を前傾させたとき、ホース８２の上端部は持ち上がって操作部３４側へ近づく。ホース８２の上端部と操作部３４とがより離間していることによって、機械的に干渉することなく、さらには、フック３０を操作する際に、フック３０の下面側の空間が大きく、指を差し込み易いので、操作性がよい。
【００３８】
また、先端部３２は、基端部３１に対して嵌合孔３１ａの軸線Ｌ３方向にオフセットした位置にあるので、シャワーヘッド８１の上下方向における位置設定の自由度が増す。例えば、シャワーヘッド８１をより低い位置まで移動可能にしたい場合には、先端部３２は、基端部３１に対して嵌合孔３１ａの軸線Ｌ３方向の下方にオフセットさせるとよい。また、シャワーヘッド８１をより高い位置まで移動可能にしたい場合には、先端部３２は、基端部３１に対して嵌合孔３１ａの軸線Ｌ３方向の上方にオフセットさせるとよい。
【００３９】
次に、実施形態のスライドバー装置１の特徴を説明する。
本発明の実施形態のスライドバー装置１は、上下方向に延びるスライドバー１０と、スライドバー１０に摺動可能に保持されるフック３０とを備える。フック３０は、スライドバー１０に嵌合する嵌合孔３１ａが形成された基端部３１、被掛止体であるシャワーヘッド８１を掛け止める先端部３２を有する。フック３０は、基端部３１と先端部３２との間に嵌合孔３１ａの軸線（Ｌ３）方向に屈曲した屈曲部３３を有する。これにより、ユーザがスライドバー装置１を操作する際に、フック３０の屈曲部３３に指が掛かって滑り難くなり、操作性が良い。
【００４０】
またスライドバー装置１は、先端部３２が、基端部３１に対して嵌合孔３１ａの軸線方向にオフセットした位置にある。これにより、シャワーヘッド８１の上下方向における位置設定の自由度が増す。
【００４１】
またスライドバー装置１は、フック３０のスライドバー１０への保持および保持解除のための操作部３４を有している。操作部３４は、フック３０の屈曲部３３に設けられている。これにより、ユーザがスライドバー装置１を操作する際に、指掛かりの良いフック３０の屈曲部３３において操作を行うことができる。
【００４２】
またスライドバー装置１は、操作部３４がフック３０の下面側に設けられている。これにより、操作部３４における隙間からフック３０内へ水やゴミなどが入り込み難くなる。
【００４３】
（変形例）
図９は変形例に係るフック３０の上面側から見た斜視図であり、図１０は変形例に係るフックの側面図である。屈曲部３３は、上述の実施形態に比較してより基端部３１に近い位置にある。このため、フック３０の上面側はほぼ平坦状となっているものの、フック３０の下面側は凹状となっている。
【００４４】
変形例に係るフック３０は、上述の実施形態に係るフック３０と同様に、基端部３１に形成された嵌合孔３１ａにスライドバー１０を挿通し、基端部３１に設けられたロック機構によりスライドバー１０に摺動可能に保持されている。また、先端部３２に設けた把持部３２ａおよび掛止部３２ｂについても、上述の実施形態に係るフック３０における把持部３２ａおよび掛止部３２ｂと同様に構成されている。
【００４５】
操作部３４は、フック３０の下面側に設けられており、上方へ向けて押し込むことによって、ロック機構によるロックが解除され、フック３０がスライドバー１０上を上下方向に摺動可能になる。操作部３４は、予め下方へ付勢されており、操作部３４への押圧力を解除することによって元の位置に戻り、ロック機構がロック状態となってフック３０がスライドバー１０に保持される。
【００４６】
操作部３４がフック３０の下面側における凹形状付近にあることにより、親指で操作部３４を上方へ押し込んだ状態で親指が凹形状に嵌まってずれ難くなるので、フック３０の操作性が良くなる。また、操作部３４がフック３０の下面側にあることで、操作部３４における隙間からフック３０内へ水やゴミなどが入り込み難い。
【００４７】
また、先端部３２は、基端部３１に対して嵌合孔３１ａの軸線Ｌ３方向にオフセットした位置にあるので、シャワーヘッド８１の上下方向における位置設定の自由度が増す。変形例に係るフック３０においては、先端部３２が基端部３１に対して嵌合孔３１ａの軸線Ｌ３方向の上方にオフセットしており、シャワーヘッド８１をより高い位置まで移動可能にしたい場合に適している。
【００４８】
フック３０において、先端部３２は軸線Ｌ２が示すように先端側に向かうにつれて下方に傾斜している。先端部３２の上面および下面は、軸線Ｌ２にほぼ平行に形成されており、先端側に向かうにつれて下方に傾斜している。このため、シャワーヘッド８１から吐出された湯水や、フック３０を操作するユーザの手から滴る湯水がフック３０に付着した場合、付着した湯水がフック３０の先端側へと流れ落ち、フック３０の上面および下面に溜まり難く、フック３０の汚れを抑制することができる。
【００４９】
上述の実施形態および変形例では、被掛止体としてシャワーヘッド８１を用いた例を示したが、本発明に係るスライドバー装置は、照明をフックに掛け止めて使用するなど種々の目的に使用するスライドバー装置に利用可能である。
【００５０】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５１】
１  スライドバー装置、  １０  スライドバー、  ３０  フック、
３１  基端部、  ３１ａ  嵌合孔、  ３２  先端部、  ３３  屈曲部、
３４  操作部、  ８１  シャワーヘッド（被掛止体）。
【図１】
2018053543.tif 000003
【図２】
2018053543.tif 000004
【図３】
2018053543.tif 000005
【図４】
2018053543.tif 000006
【図５】
2018053543.tif 000007
【図６】
2018053543.tif 000008
【図７】
2018053543.tif 000009
【図８】
2018053543.tif 000010
【図９】
2018053543.tif 000011
【図１０】
2018053543.tif 000012